(57)【要約】【課題】機能ごとに多くの操作ボタンを配置することができ、かつ操作性が高いリモコン装置を提供する。【解決手段】第１の操作ボタン（１５）が配置された操作部（１１）を有する本体（１０）と、第１の方向と、該第１の方向と異なる第２の方向との少なくとも２方向に可倒に取り付けられ、第１の方向と第２の方向とに倒した場合に、前記操作部（１１）の前記第１の操作ボタン（１５）が配置されている領域のうちの異なる領域を覆う位置において前記操作部（１１）に取り付けられた蓋体（２０）とを備え、前記蓋体（２０）の両面に第２及び第３の操作ボタン（２３）が設けられ、該第２及び第３の操作ボタン（２３）は、第１の方向と第２の方向とに倒された位置において押されると、前記第１のボタン（１５）が押される位置に設けられている。【選択図】図１
2008054118.tif 000002
【特許請求の範囲】
【請求項１】
第１の操作ボタンが配置された操作部を有する本体と、
第１の方向と、該第１の方向と異なる第２の方向との少なくとも２方向に可倒に取り付けられ、第１の方向と第２の方向とに倒した場合に、前記操作部の前記第１の操作ボタンが配置されている領域のうちの異なる領域を覆う位置において前記操作部に取り付けられた蓋体とを備え、
前記蓋体の両面に第２及び第３の操作ボタンが設けられ、
該第２及び第３の操作ボタンは、第１の方向と第２の方向に倒された位置において押されると、前記第１のボタンが押される位置に設けられていることを特徴とするリモコン装置。
【請求項２】
前記蓋体の操作ボタンは一体的に成形されたものであることを特徴とする請求項１記載のリモコン装置。
【請求項３】
前記蓋体の操作ボタンは前記蓋体の面によって異なる色調を有することを特徴とする請求項１又は２に記載のリモコン装置。
【請求項４】
前記蓋体の操作ボタンの少なくとも１個は前記蓋体の面によって異なる形状を有することを特徴とする請求項１乃至３のいずれか１項に記載のリモコン装置。
【請求項５】
前記蓋体が閉じた状態で前記本体と前記蓋体とをロックするロック機構を備えることを特徴とする請求項１乃至４のいずれか１項に記載のリモコン装置。
【請求項６】
前記蓋体が閉じた状態を検出する蓋体閉検出スイッチを備え、前記蓋体の開閉状態に応じて前記本体の操作ボタンが押されたことによって発生するリモコン信号を切り替えることを特徴とする請求項１乃至５のいずれか１項に記載のリモコン装置。
【請求項７】
前記蓋体の操作ボタンは前記蓋体の面によって数が異なることを特徴とする請求項１乃至６のいずれか１項に記載のリモコン装置。
【請求項８】
前記蓋体を複数設けたことを特徴とする請求項１乃至７のいずれか１項に記載のリモコン装置。
【請求項９】
隣り合う前記蓋体は、互いに相手方向に閉じられている際に前記操作部の同じ領域を覆うことを特徴とする請求項８記載のリモコン装置。
【請求項１０】
隣り合う前記蓋体が同じ方向に閉じられている際に一方が他方にロックするロック機構を備えることを特徴とする請求項９記載のリモコン装置。
【発明の詳細な説明】
【技術分野】
【０００１】
本発明は、リモコン装置に関する。
【背景技術】
【０００２】
例えばテレビジョン受像機やＡＶ機器などの電気機器では、リモコン装置によって遠隔操作できるものが多くなっている。本体の電気機器の多機能化が進むと共に、リモコン装置における操作ボタンの数も多くなる傾向にある。また、使用する機器が多くなるとリモコン装置の数も増え、目的の機器の操作を行うためのリモコン装置を探す手間が増えるため、テレビジョン受像機のリモコン装置などでは、共に使用するＤＶＤレコーダなどの他の機器の操作も同じリモコン装置によって操作できるようになっている場合もある。その場合には、操作ボタンの数はさらに増加する。
【０００３】
しかしながら、リモコン装置はユーザが手に持って使用するものなので、ある程度の大きさにする必要がある。したがって、設けられる操作ボタンの数には制限がある。また、リモコン装置の操作面に多くの操作ボタンを設けると、使用しにくいという問題もある。制御ボタンと組み合わせて使用することによって１個の操作ボタンに２種以上の機能を割り当てる方法もあるが、操作が複雑になってしまう。
【０００４】
このような問題を解決するものとして、例えば、特許文献１及び２が提案されている。
特許文献１に記載のリモコン装置は、表面切換可動体（可動カバー）を設け、モード切換スイッチにより機能が切り替わる。各々のモードについて、その操作内容に対応したモード下における機能が表示される。
【０００５】
特許文献２に記載のリモコン装置は、外面に操作部を設けた蓋体を開閉自在に設け、蓋体が閉状態で覆われている本体部分にも操作部を設ける。蓋体の開閉を検出するスイッチを設け、スイッチの操作状態により蓋体又は本体の操作部のいずれかの操作を有効とする。
【０００６】
【特許文献１】特開２００２−６４８９０号公報
【特許文献２】特開平１１−２１３７９６号公報
【発明の開示】
【発明が解決しようとする課題】
【０００７】
特許文献１に記載のリモコン装置では、ボタンの機能表示をボタン上にすることは不可能であり、また、機能に応じてボタンの形状や色調を変えることはできず、ボタンの機能識別がしにくい。また、可動カバーのページごとに機能を分類することはできても、ボタンの数を変更することはできず、ボタンのレイアウトの自由度がない。
【０００８】
特許文献２に記載のリモコン装置では、本体のボタン数が多い場合、それを覆う蓋体も大きくなり、開状態の蓋体に外力が加えられた場合、蓋体のヒンジ部が破損したりするおそれがある。
【０００９】
本発明は、機能ごとに多くの操作ボタンを配置することができ、かつ操作性が高いリモコン装置を提供することを目的とする。
【課題を解決するための手段】
【００１０】
上記課題を解決するため、本発明のリモコン装置は、第１の操作ボタンが配置された操作部を有する本体と、第１の方向と、該第１の方向と異なる第２の方向との少なくとも２方向に可倒に取り付けられ、第１の方向と第２の方向とに倒した場合に、前記操作部の前記第１の操作ボタンが配置されている領域のうちの異なる領域を覆う位置において前記操作部に取り付けられた蓋体とを備え、前記蓋体の両面に第２及び第３の操作ボタンが設けられ、該第２及び第３の操作ボタンは、第１の方向と第２の方向とに倒された位置において押されると、前記第１のボタンが押される位置に設けられていることを特徴とする。
【００１１】
好適には、前記蓋体の操作ボタンは一体的に成形されたものである。
好適には、前記蓋体の操作ボタンは前記蓋体の面によって異なる色調を有する。
好適には、前記蓋体の操作ボタンの少なくとも１個は前記蓋体の面によって異なる形状を有する。
好適には、前記蓋体が閉じた状態で前記本体と前記蓋体とをロックするロック機構を備える。
【００１２】
好適には、前記蓋体が閉じた状態を検出する蓋体閉検出スイッチを備え、前記蓋体の開閉状態に応じて前記本体の操作ボタンが押されたことによって発生するリモコン信号を切り替える。
好適には、前記蓋体の操作ボタンは前記蓋体の面によって数が異なる。
好適には、前記蓋体を複数設ける。
好適には、隣り合う前記蓋体は、互いに相手方向に閉じられている際に前記操作部の同じ領域を覆う。
好適には、隣り合う前記蓋体が同じ方向に閉じられている際に一方が他方にロックするロック機構を備える。
【発明の効果】
【００１３】
本発明によれば、機能ごとに多くの操作ボタンを配置することができ、かつ操作性が高いリモコン装置が実現する。
【発明を実施するための最良の形態】
【００１４】
図１は、本発明のリモコン装置の一例を示す斜視図である。リモコン装置１は、本体１０の操作面１１に設けられた軸受け１２に取り付けられた回転軸に取り付けられ、第１の方向と、該第１の方向と異なる第２の方向との２方向に開閉自在な蓋体２０とを備える。説明のため、図１（ａ）に示すように閉じられた蓋体２０の位置を第１位置、図１（ｂ）に示すように閉じられた蓋体２０の位置を第２位置とする。
【００１５】
蓋体２０のロック突起２１は、第１位置にあるときには本体１０のロック受け部１３ａにロックし、第２位置にあるときには本体１０のロック受け部１３ｂ（図示せず）にロックする。本体１０は、第１位置および第２位置にある蓋体２０を受ける蓋体受け部１４も備える。蓋体２０は、ロックを解除するためのロック解除ツマミ２２も備える。ロック受け部が可撓性を有するため、蓋体を受けから押すことで蓋体がロックされ、蓋体のロック解除ツマミを摘んでロック力に抗して持ち上げることで蓋体のロックが解除される。
【００１６】
本体１０は、その操作面１１において、本リモコン装置によって本体機器を操作するための操作ボタン１５を備える。操作ボタン１５は、図２ａの断面図において示すように、例えば一体型のラバーボタンである。本体１０は、操作ボタンの操作に応じて赤外線によるリモコン信号を発生する発光ダイオード１６も備える。操作ボタン１５が押されると、操作ボタン１５の接点１５ａが基板１８に設けられた対向電極と接触し、その操作ボタンに対応するリモコン信号が発光ダイオード１６から発生される。本体１０は、操作面１１以外の場所に操作ボタン１５を備えてもよい。
【００１７】
蓋体２０は、第１位置および第２位置において表側になる面において、本リモコン装置によって本体機器を操作するための操作ボタン２３を備える。操作ボタン２３は、一体型のラバーボタンである。図２ａの断面図において示すように、操作ボタン２３は、蓋体２０の第１位置側と第２位置側の両側から押せるようになっている。
【００１８】
蓋体２０は、その第１位置および第２位置にある場合、本体１０の操作面１１の一部を覆うようになっている。図２ａの断面図において示すように、蓋体２０の第１位置および第２位置において、蓋体２０の操作ボタン２３と本体１０の操作ボタン１５は重なり合う位置にあり、蓋体２０の操作ボタン２３を押すと、対応する本体１０の操作ボタン１５が押される。
【００１９】
本体１０は、第１蓋体閉検出スイッチ１７ａおよび第２蓋体閉検出スイッチ１７ｂを備える。図２ｂの断面図において示すように、蓋体２０は、第１位置にある場合、第１蓋体閉検出スイッチ１７ａを押し、同様に、第２位置にある場合、第２蓋体閉検出スイッチ１７ｂを押す。蓋体２０が第１位置又は第２位置にある場合、すなわち、第１蓋体閉検出スイッチ１７ａ又は第２蓋体閉検出スイッチ１７ｂが押されている場合に蓋体２０の操作ボタン２３が押された場合、操作ボタン２３によって押される本体１０の操作ボタン１５に割り当てられた機能ではなく、操作ボタン２３に割り当てられた機能が有効になり、対応するリモコン信号が発光ダイオード１６から発生される。
【００２０】
本体１０の操作ボタンと蓋体２０の操作ボタンを機能群ごとに分けて配置すると操作が簡単になる。例えば、ＤＶＤレコーダ用のリモコン装置を想定し、操作ボタンの機能を「放送を見る」、「録画する」、「再生する」、「編集する」の４つの機能群に分ける。これらの機能群を、蓋体２０が第１位置にあるときに露出される本体１０の操作ボタン１５、第１位置における蓋体２０の操作ボタン２３、蓋体２０が第２位置にあるときに露出される本体１０の操作ボタン１５、第２位置における蓋体２０の操作ボタン２３に振り分ける。このようにすることによって、操作ボタンが機能群ごとに明確に分けて配置できるため、操作が容易になる。
【００２１】
蓋体２０の操作ボタン２３の形状は、第１位置で表になる側と第２位置で表になる側とで異なるようにしてもよい。例えば、図３に示すように、操作ボタン２３ａの形状を、第１位置で表になる側では長方形、第２位置で表になる側では円形にすることができる。このようにすることにより、操作ボタンの機能をその形状によって直感的にわかりやすくすることができる。また、操作ボタン２３の色を蓋体の面によって異なる色調で形成してもよく、または印刷、塗装表示、符号の刻印を表面に施してもよい。このようにすることにより、操作ボタンの機能をその色調又は表示等によって直感的にわかりやすくすることができる。
【００２２】
蓋体２０の第１位置側の操作ボタンの数と第２位置側の操作ボタンの数が異なるようにしてもよい。例えば、図３に示すように、第１位置側の２個の操作ボタン２３ｂおよび２３ｃを、第２位置側の１個の操作ボタン２３ｄに対応させる。この際、操作ボタン２３ｂを押したときと操作ボタン２３ｃを押したときに、対応する本体１０の操作ボタン１５のみが操作ボタン２３ｄに押されるようにすることが必要である。このようにすれば、例えば上記のように機能群ごとに操作ボタンの配置を行う場合、機能群に合わせて操作ボタンの数を調節することが可能になり、ボタンレイアウトの自由度も増す。
【００２３】
図４は、本発明のリモコン装置の他の例を示す斜視図である。リモコン装置２は、図１に示すリモコン装置１と類似のものであるが、蓋体を２枚にしたものである。リモコン装置２は蓋体が２枚であること以外は図１に示すリモコン装置１と同様であるため、図を見やすくするために、２枚の蓋体とそのロック受け部にのみ符号を付す。本リモコン装置２の２枚の蓋体４０ａ及び４０ｂは、図１に示すリモコン装置１の蓋体２０と同様に、本体の操作面に設けられた軸受けに各々取り付けられた回転軸に取り付けられ、第１の方向と、該第１の方向と異なる第２の方向との２方向に開閉自在となっている。説明のため、図４に示すように閉じられた位置を蓋体４０ａおよび４０ｂの各々の第１位置とし、図４と逆に閉じられた位置を各々の第２位置とする。第２位置における蓋体４０ａと第１位置における蓋体４０ｂは、本体の操作面の同じ部分を覆う。したがって、本例のリモコン装置２において、蓋体４０ａを第２位置にし、蓋体４０ｂを第１位置にして使用することはできず、想定される使用状態は、第１位置の蓋体４０ａおよび第１位置の蓋体４０ｂ（状態１）、第１位置の蓋体４０ａおよび第２位置の蓋体４０ｂ（状態２）、第２位置の蓋体４０ａおよび第２位置の蓋体４０ｂ（状態３）の３通りである。
【００２４】
蓋体４０ａのロック突起は、第１位置にあるときには図１のリモコン装置１の場合と同様に本体のロック受け部にロックするが、第２位置にあるときには蓋体４０ｂのロック受け部４１ｂにロックする。同様に、蓋体４０ｂのロック突起は、第１位置にあるときには蓋体４０ａのロック受け部４１ａにロックし、第２位置にあるときには本体のロック受け部にロックする。図１のリモコン装置１と同様に、リモコン装置２の本体は、第１位置および第２位置にある蓋体４０ａおよび４０ｂを受ける蓋体受け部を備える。蓋体４０ａ及び４０ｂは、図１のリモコン装置１の蓋体２０と同様に、ロックを解除するためのロック解除ツマミを備える。図５の断面図に、蓋体４０ａのロック受け部４１ａに、蓋体４０ｂのロック突起４２ｂがロックされている状態を示す。ロック受け部が可撓性を有するため、蓋体を受けから押すことで蓋体がロックされ、蓋体のロック解除ツマミを摘んでロック力に抗して持ち上げることで蓋体のロックが解除される。
【００２５】
蓋体４０ａ及び４０ｂの操作ボタンは、図１のリモコン装置１の蓋体２０の操作ボタンと同様に、例えば一体型のラバーボタンであり、蓋体４０ａ及び４０ｂが第１位置又は第２位置にある場合に押されると、下にある本体の操作ボタンを押す。
【００２６】
リモコン装置２の本体は、蓋体４０ａ及び蓋体４０ｂがそれぞれの第１位置及び第２位置に閉じられていることを検出する蓋体閉検出スイッチを備える。蓋体４０ａが第１位置に閉じられていることを検出する蓋体閉検出スイッチと、蓋体４０ｂが第２位置に閉じられていることを検出する蓋体閉検出スイッチのみを設け、これらの組み合わせによって２つの蓋体の開閉状態を判断してもよい。リモコン装置２は、蓋体閉検出スイッチの状態によって蓋体の開閉状態を検出し、そのときに表に出ている操作ボタンが押されれば、そのボタンの機能に対応するリモコン信号を発生する。
【００２７】
図４に示す例では、閉じられたときに２つの蓋体が本体の操作面の同じ部分を覆うような構成としたが、２つの蓋体が覆う領域が重ならないような構成とすることも可能である。また、蓋体の数を３以上としてもよい。その場合も、各蓋体が覆う領域が重なる構成、各蓋体が覆う領域が重ならない構成、共に可能である。
【００２８】
本発明のリモコン装置では、蓋体の両面、本体のそれぞれの操作ボタンを機能群ごとに分けて配置することで、所望の操作に無関係な操作ボタンが隠され、操作性が向上する。
【００２９】
また、蓋体の面によって操作ボタンの形状、色調を変えたり、操作ボタンに機能の表示を行うことで、操作ボタンの視認性、操作性が向上する。
【００３０】
また、蓋体の面によって操作ボタンの数やサイズ、形状を変更できるので、機能群ごとのレイアウトの自由度が増す。
【００３１】
また、蓋体が第１位置、第２位置でそれぞれ本体に対してロックされるため、蓋体への外力に対して強度が増す。
【図面の簡単な説明】
【００３２】
【図１】（ａ）及び（ｂ）は本発明のリモコン装置の一例を示す斜視図である。
【図２】（ａ）及び（ｂ）は本発明のリモコン装置の一例の部分的な断面図である。
【図３】図１のリモコン装置の蓋体の変形例を示す斜視図である。
【図４】本発明のリモコン装置の他の例を示す斜視図である。
【図５】本発明のリモコン装置の他の例の部分的な断面図である。
【符号の説明】
【００３３】
１、２  リモコン装置
１０  本体
１１  操作面
１２  軸受け
１３  ロック受け部
１４  蓋体受け部
１５、２３  操作ボタン
１５ａ  接点
１６  発光ダイオード
１７ａ、１７ｂ  蓋体閉検出スイッチ
１８  基板
２０、４０ａ、４０ｂ  蓋体
２１、４２ｂ  ロック突起
２２  ロック解除ツマミ
【図１】
2008054118.tif 000003
【図２】
2008054118.tif 000004
【図３】
2008054118.tif 000005
【図４】
2008054118.tif 000006
【図５】
2008054118.tif 000007